(57)【要約】【課題】ランクアダプテーションを行う移動通信システムにおいて、ランクインジケータのビット数を基地局が誤って認識してしまうおそれを減らすこと。【解決手段】ユーザ装置は、下りリンクのチャネル状態に基づいてランクインジケータを生成するRI生成部と、ランクインジケータを含む上り信号を基地局に送信する送信部とを有する。ユーザ装置のカテゴリ情報を基地局に通知する前に、ランクインジケータを基地局に報告する場合、RI生成部は、ユーザ装置及び基地局にとって既知のビット数のランクインジケータを生成する。【選択図】図３
2011142570.tif 000002
【特許請求の範囲】
【請求項１】
移動通信システムにおけるユーザ装置であって、
下りリンクのチャネル状態に基づいてランクインジケータを生成するRI生成部と、
前記ランクインジケータを含む上り信号を基地局に送信する送信部と
を有し、当該ユーザ装置のカテゴリ情報を前記基地局に通知する前に、ランクインジケータを前記基地局に報告する場合、前記RI生成部は、当該ユーザ装置及び前記基地局にとって既知のビット数のランクインジケータを生成する、ユーザ装置。
【請求項２】
前記既知のビット数は、前記移動通信システムにおける全てのユーザ装置が使用可能なランクインジケータを表現するのに必須のビット数である、請求項１記載のユーザ装置。
【請求項３】
前記カテゴリ情報を含む上り信号について肯定応答又は否定応答を示す送達確認信号を受信する受信部をさらに有し、
前記肯定応答が得られた場合、前記RI生成部は、前記カテゴリ情報及び前記基地局のアンテナ数に基づいて決定されたビット数のランクインジケータを生成する、請求項１又は２に記載のユーザ装置。
【請求項４】
前記既知のビット数は、前記基地局のアンテナ数に応じて決定されたビット数である、請求項１記載のユーザ装置。
【請求項５】
前記カテゴリ情報を含む上り信号について肯定応答が得られた後においても、前記RI生成部は、前記基地局のアンテナ数に応じて決定されたビット数のランクインジケータを生成する、請求項４記載のユーザ装置。
【請求項６】
前記カテゴリ情報を含む上り信号について肯定応答又は否定応答を示す送達確認信号を受信する受信部をさらに有し、
前記肯定応答が得られた場合、前記RI生成部は、前記カテゴリ情報及び前記基地局のアンテナ数に基づいて決定されたビット数のランクインジケータを生成する、請求項４に記載のユーザ装置。
【請求項７】
前記カテゴリ情報は、当該ユーザ装置が使用可能なランクインジケータのビット数を一意に特定することが可能である、請求項１ないし６の何れか１項に記載のユーザ装置。
【請求項８】
移動通信システムにおける基地局であって、
ランクインジケータを含む上り信号をユーザ装置から受信する受信部と、
前記ランクインジケータに基づいてスケジューリングした下り信号をユーザ装置に送信する送信部と
を有し、前記ユーザ装置のカテゴリ情報が当該基地局にとって未知である場合に受信するランクインジケータは、前記ユーザ装置及び当該基地局にとって既知のビット数により表現されている、基地局。
【請求項９】
前記既知のビット数は、前記移動通信システムにおける全てのユーザ装置が使用可能なランクインジケータを表現するのに必須のビット数である、請求項８記載の基地局。
【請求項１０】
前記送信部は、前記カテゴリ情報を含む上り信号について肯定応答又は否定応答を示す送達確認信号を送信し、
前記カテゴリ情報を含む上り信号を復号した後、あるいは、前記肯定応答を送信した後に受信するランクインジケータは、前記カテゴリ情報及び当該基地局のアンテナ数に基づいて決定されたビット数により表現されている、請求項８又は９に記載の基地局。
【請求項１１】
前記既知のビット数は、当該基地局のアンテナ数に応じて決定されたビット数である、請求項８記載の基地局。
【請求項１２】
前記カテゴリ情報を含む上り信号を復号した後、あるいは、前記カテゴリ情報を含む上り信号について肯定応答を送信した後に受信するランクインジケータも、当該基地局のアンテナ数に応じて決定されたビット数により表現されている、請求項１１記載の基地局。
【請求項１３】
前記送信部は、前記カテゴリ情報を含む上り信号について肯定応答又は否定応答を示す送達確認信号を送信し、
前記カテゴリ情報を含む上り信号を復号した後、あるいは、前記肯定応答を送信した後に受信するランクインジケータは、前記カテゴリ情報及び当該基地局のアンテナ数に基づいて決定されたビット数により表現されている、請求項１１に記載の基地局。
【請求項１４】
前記カテゴリ情報は、前記ユーザ装置が使用可能なランクインジケータのビット数を一意に特定することが可能である、請求項８ないし１３の何れか１項に記載の基地局。
【請求項１５】
移動通信システムにおける方法であって、
ユーザ装置が、下りリンクのチャネル状態に基づいてランクインジケータを生成し、該ランクインジケータを含む上り信号を基地局に送信するステップと、
前記基地局が、受信した前記ランクインジケータに基づいてスケジューリングした下り信号を前記ユーザ装置に送信するステップと
を有し、前記ユーザ装置のカテゴリ情報が前記基地局に通知される前に、前記ユーザ装置が前記基地局に報告するランクインジケータは、前記ユーザ装置及び前記基地局にとって既知のビット数により表現されている、方法。
【請求項１６】
移動通信システムにおけるユーザ装置であって、
RRC接続要求メッセージを生成するRRCメッセージ生成部と、
ランクインジケータのビット数を決定するRIビット数決定部と、
下りリンクのチャネル状態に基づいて、前記ビット数決定部により決定されたビット数のランクインジケータを生成するRI生成部と、
前記RRC接続要求メッセージを送信した後に基地局から通知された報告頻度で、前記ランクインジケータを前記基地局に送信する送信部と
を有し、前記RRCメッセージ生成部が生成するRRC接続要求メッセージは、当該ユーザ装置が使用可能なランクインジケータのビット数を一意に特定することが可能なカテゴリ情報を含み、前記RIビット数決定部は、前記カテゴリ情報及び前記基地局のアンテナ構成に基づいてランクインジケータのビット数を決定する、ユーザ装置。
【請求項１７】
移動通信システムにおける基地局であって、
RRC接続要求メッセージをユーザ装置から受信し、ランクインジケータのビット数を一意に特定することが可能なカテゴリ情報を前記RRC接続要求メッセージから抽出するRRC処理部と、
ランクインジケータの報告頻度を少なくとも示すRRCコネクション設定メッセージを生成するRRCメッセージ生成部と、
前記カテゴリ情報及び当該基地局のアンテナ構成に基づいてランクインジケータのビット数を決定するRIビット数決定部と、
前記RRCコネクション設定メッセージがユーザ装置に通知された後に、前記報告頻度で前記ユーザ装置から報告されたランクインジケータに基づいてスケジューリングした下りメッセージを、前記ユーザ装置に送信する送信部と
を有する基地局。
【請求項１８】
移動通信システムにおける方法であって、
ユーザ装置がRRC接続要求メッセージを基地局に送信し、前記基地局が、当該ユーザ装置が使用可能なランクインジケータのビット数を一意に特定することが可能なカテゴリ情報を前記RRC接続要求メッセージから抽出するステップと、
前記基地局が、ランクインジケータの報告頻度を少なくとも示すRRCコネクション設定メッセージを、前記ユーザ装置に通知するステップと、
前記ユーザ装置が、前記カテゴリ情報及び前記基地局のアンテナ構成に基づいてランクインジケータのビット数を決定し、該決定したビット数のランクインジケータを下りリンクのチャネル状態に基づいて生成するステップと、
前記基地局が、前記カテゴリ情報及び前記基地局のアンテナ構成に基づいてランクインジケータのビット数を決定し、該ビット数のランクインジケータを前記ユーザ装置から前記報告頻度で受信するステップと
を有する方法。
【発明の詳細な説明】
【技術分野】
【０００１】
本発明は、移動通信システムにおけるユーザ装置、基地局及び方法に関する。
【背景技術】
【０００２】
この種の技術分野では、いわゆる第３世代の後継となる移動通信方式が、ワイドバンド符号分割多重接続（W-CDMA）方式の標準化団体3GPPにより検討されている。特に、W-CDMA方式、高速ダウンリンクパケットアクセス（HSDPA）方式及び高速アップリンクパケットアクセス（HSUPA）方式等の後継として、ロングタームエボリューション（LTE:  Long  Term  Evolution）方式や、さらに後継のIMTアドバンスト（IMT-Advanced）方式等が挙げられる。
【０００３】
LTE方式等のシステムでは、ユーザ装置（UE:  User  Equipment）に１つ以上のリソースブロック（RB:  Resource  Block）を割り当てることで、下りリンク及び上りリンクの通信が行われる。リソースブロックはシステム内の多数のユーザ装置で共有される。LTE方式の場合１msであるサブフレーム（Sub-frame）毎に、基地局装置は、複数のユーザ装置の内どのユーザ装置にリソースブロックを割り当てるかを決定する。サブフレームは送信時間間隔（TTI:  Transmission  Time  Interval）とも呼ばれる。無線リソースの割り当て方を決定する処理はスケジューリングと呼ばれる。下りリンクの場合、スケジューリングで選択されたユーザ装置宛に、基地局装置は１以上のリソースブロックで共有チャネルを送信する。この共有チャネルは、下り物理共有チャネル（PDSCH:  Physical  Downlink  Shared  CHannel）と呼ばれる。上りリンクの場合、スケジューリングで選択されたユーザ装置が、１以上のリソースブロックで基地局装置に共有チャネルを送信する。この共有チャネルは、上り物理共有チャネル（PUSCH:  Physical  Uplink  Shared  CHannel）と呼ばれる。
【０００４】
このような共有チャネルを用いた通信システムでは、原則としてサブフレーム毎にどのユーザ装置に共有チャネルを割り当てるかをシグナリング（通知）する必要がある。このシグナリングに用いられる制御チャネルは、物理下りリンク制御チャネル（PDCCH:  Physical  Downlink  Control  CHannel）または下りL1/L2制御チャネル  （DL-L1/L2  Control  Channel）と呼ばれる。
【０００５】
下り制御信号には、このPDCCHに加えて、物理制御フォーマットインジケータチャネル（PCFICH:  Physical  Control  Format  Indicator  CHannel）や、物理ハイブリッドARQインジケータチャネル（PHICH:  Physical  Hybrid  ARQ  Indicator  CHannel）等が含まれる。
【０００６】
PDCCHには、例えば次の情報が含まれてもよい：
・下りスケジューリング情報（Downlink  Scheduling  Information）、
・上りリンクスケジューリンググラント（Uplink  Scheduling  Grant）及び
・送信電力制御コマンドビット（Transmission  Power  Control  Command  Bit）。
【０００７】
下りスケジューリング情報には、例えば、下りリンクの共有チャネルに関する情報が含まれ、具体的には、下りリンクのリソースブロックの割り当て情報、ユーザ装置の識別情報（UE-ID）、ストリーム数、プリコーディングベクトル（Pre-coding  Vector）に関する情報、データサイズ、変調方式、HARQ（Hybrid  Automatic  Repeat  reQuest）に関する情報等が含まれる。
【０００８】
また、上りリンクスケジューリンググラントには、例えば、上りリンクの共有チャネルに関する情報が含まれ、具体的には、上りリンクのリソースブロックの割り当て情報、ユーザ装置の識別情報（UE-ID）、データサイズ、変調方式、上りリンクの送信電力情報、アップリンクMIMO（Uplink  MIMO）におけるデモジュレーションレファレンスシグナル（Demodulation  Reference  Signal）の情報等が含まれる。
【０００９】
PCFICHは、PDCCHのフォーマットを通知するための情報である。より具体的には、PDCCHのマッピングされるOFDMシンボル数が、PCFICHにより通知される。LTEでは、PDCCHのマッピングされるOFDMシンボル数は１，２又は３であり、サブフレームの先頭のOFDMシンボルから順にマッピングされる。
【００１０】
PHICHは、上りリンクで伝送されたPUSCHについて再送を要するか否かを示す送達確認信号（ACK/NACK:  Acknowledgement/Non-Acknowledgement  signal）を含む。
【００１１】
上りリンクの場合、PUSCHによりユーザデータ（通常のデータ信号）及びそれに付随する制御情報が伝送される。また、PUSCHとは別に、上りリンク制御チャネル（PUCCH:  Physical  Uplink  Control  CHannel）により、下りリンクの品質情報（CQI:  Channel  Quality  Indicator）、上りリンクの無線リソース割り当て要求を示す信号、及びPDSCHの送達確認信号（ACK/NACK）等が伝送される。CQIは、下りリンクにおける物理共有チャネルのスケジューリング処理や適応変復調及び符号化処理（AMCS:  Adaptive  Modulation  and  Coding  Scheme）等に使用される。上りリンクでは、その他、初期接続時に用いるランダムアクセスチャネル（RACH）や、上りリンクの受信品質を測定するためのSounding  Reference  Signal等も必要に応じて伝送される。
【００１２】
ところで、無線通信にMIMO（Multiple  Input  Multiple  Output）方式が使用される場合、信号の伝送方式として、送信ダイバーシチ方式及び空間多重方式がある。送信ダイバーシチ方式は、複数のアンテナから同一の情報の信号を送信することで、空間的なダイバーシチゲインを増やし、受信品質を向上させようとするものである。空間多重方式は、複数のアンテナ各々から異なる信号を同時に送信することで、データレートを向上させようとするものである。一般に、無線伝搬状況が悪い場合は送信ダイバーシチ方式を使用し、無線伝搬状況が良い場合は空間多重方式を使用することが望ましい。これを実現するため、ランクアダプテーション（Rank  Adaptation）と呼ばれる技術がある。
【００１３】
ランク (Rank)は、例えば、複数のアンテナを介して伝送される異なるデータストリーム数として定義できる。例えば、アンテナ数が２であった場合、２本のアンテナから同一の情報を送信することで送信ダイバーシチを行うことができる。この場合、ランクは、１である。一方、２本のアンテナ各々から異なる情報の信号を送信することで空間多重を行うこともできる。この場合、ランクは、２である。さらに、アンテナ数が４であった場合、ランクは、１、２、３又は４の値をとり得る。一般に、アンテナ数がNであった場合、ランクのとり得る値は、１、２、...又はNである。
【００１４】
基地局装置が下りデータ送信を行う際のランクは、一般的にはランクアダプテーションと呼ばれる技術により制御される。ユーザ装置は、下りリンクで送信される参照信号を用いて、受信品質を測定し、最適なランクを決定する。決定されたランクは上りリンク制御チャネル (PUCCH)により、ランクインジケータ（RI：Rank  Indicator）として基地局装置へ通知する。ランクアダプテーションの場合、ユーザ装置及び基地局は、双方で使用可能なランクの内、通信状況に最も相応しいランクを適応的に選択し、信号品質の向上を図る。
したがって、RIを表現するのに必要なビット数は、ユーザ装置及び基地局の能力（特に、アンテナ構成）に応じて異なる。例えば、RIが１又は２であれば、それは１ビットで表現できるが、RIが４であった場合は２ビット必要になる。さらにRIが８であった場合は３ビット必要になる。
【００１５】
図１は、ランクアダプテーションを行う移動通信システムにおけるユーザ装置UE及び基地局eNBのRRCメッセージシーケンスを示す。先ず、ユーザ装置UEはRACHプリアンブル（RACH  preamble）を基地局eNBに送信し、通信開始の意思表示を行う（S1）。基地局は、これに応答して、RACHレスポンス（RACH  response）をユーザ装置UEに送信する（S2）。ユーザ装置UEは、RRC接続要求メッセージ（RRC  Connection  Request）（メッセージ３）を基地局eNBに送信する（S3）。基地局eNBは、これに応答して、RRC接続セットアップメッセージ（RRC  Connection  Setup）（メッセージ４）をユーザ装置UEに送信する（S4）。このRRC接続セットアップメッセージは、下りリンクのチャネル品質情報CQIやランクインジケータRIを報告する周期や、これらの制御チャネルを送信するためのPUCCHの個別リソース等の情報を含む。ユーザ装置UEは、これに応答して、RRC接続セットアップコンプリートメッセージ（RRC  Connection  Setup  Complete）を基地局eNBに送信する（S5）。そして、基地局eNBは、UE能力問い合わせメッセージ（UE  Capability  Enquiry）を送信することで、ユーザ装置UEの能力を問い合わせる（S6）。ユーザ装置UEは、これに応答して、UE能力情報メッセージ（UE  Capability  Information）を送信し、自身の能力を基地局eNBに通知する（S7）。これにより、基地局eNBは、ユーザ装置UEが使用可能なランクインジケータを知ることができ、基地局及びユーザ装置双方で使用可能なランクインジケータを知ることができる。一方、ユーザ装置UEは、ステップS1以前に受信した報知情報から、基地局eNBのアンテナ数の情報を取得しているので、ユーザ装置UE及び基地局eNB双方で使用可能なランクインジケータを知ることができる。
【００１６】
上記のような移動通信システムについては、非特許文献１ないし４に記載されている。
【先行技術文献】
【非特許文献】
【００１７】
【非特許文献１】3GPP  TS  36.211  v8.9.0（2009-12）
【非特許文献２】3GPP  TS  36.212  v8.8.0（2009-12）
【非特許文献３】3GPP  TS  36.213  v8.9.0（2009-9）
【非特許文献４】3GPP  TS  36.331  v8.7.0（2009-9）
【発明の概要】
【発明が解決しようとする課題】
【００１８】
図１のフローにおけるステップS4において、ユーザ装置UEがRRC接続セットアップメッセージを受信すると、ユーザ装置UEは、通知された頻度又は周期でランクインジケータを送信しようとする。しかしながら、基地局eNBは、ステップS7によりユーザ装置UEの能力情報を受信するまで、ユーザ装置UEが使用するランクインジケータが何ビットで表現されるかを知らない。
【００１９】
例えば、ユーザ装置UEのランクが２であり、基地局eNBのランクが４であり、基地局eNBにとってユーザ装置UEの能力が未知であったとする。この場合、ユーザ装置UEのランクインジケータは１ビットで表現でき、基地局eNBのランクインジケータは２ビットで表現できる。ユーザ装置UEは１ビットのランクインジケータを送信し、基地局eNBは２ビットのランクインジケータを受信することを想定していたとする。ランクインジケータのビット数は、制御信号全体のビット数に影響する。その結果、ユーザ装置UEが報告する１ビットのランクインジケータを、基地局eNBは正しく認識できないだけでなく、ユーザ装置UEが送信した制御情報も正しく受信できないことが懸念される。このように、ランクインジケータのビット数について、ユーザ装置UE及び基地局eNBの間で認識が一致していなかった場合、基地局eNBはRIやCQI等の情報を正しく取得できず、また、これらの制御情報がPUSCHにより送信される場合には、レートマッチングが正しく行うことができず、PUSCHの復号等もできなくなってしまう。
【００２０】
本発明の課題は、ランクアダプテーションを行う移動通信システムにおいて、ランクインジケータのビット数を基地局が誤って認識してしまうおそれを減らすことである。
【課題を解決するための手段】
【００２１】
本発明によるユーザ装置は、移動通信システムにおけるユーザ装置であって、
下りリンクのチャネル状態に基づいてランクインジケータを生成するRI生成部と、
前記ランクインジケータを含む上り信号を基地局に送信する送信部と
を有し、当該ユーザ装置のカテゴリ情報を前記基地局に通知する前に、ランクインジケータを前記基地局に報告する場合、前記RI生成部は、当該ユーザ装置及び前記基地局にとって既知のビット数のランクインジケータを生成する、ユーザ装置である。
【発明の効果】
【００２２】
本発明によれば、ランクアダプテーションを行う移動通信システムにおいて、ランクインジケータのビット数を基地局が誤って認識してしまうおそれを減らすことができる。
【図面の簡単な説明】
【００２３】
【図１】ユーザ装置及び基地局間のシーケンスを示す図。
【図２】動作原理を説明するためのシーケンス図。
【図３】ユーザ装置の動作例を示すフローチャート。
【図４】カテゴリ情報の一例を示す図。
【図５】基地局の動作例を示すフローチャート。
【図６】第２変形例を説明するためのシーケンス図。
【図７】第３変形例を説明するためのシーケンス図。
【図８】ユーザ装置の概略ブロック図。
【図９】基地局の概略ブロック図。
【発明を実施するための形態】
【００２４】
（１）本発明の一形態によれば、移動通信システムにおけるユーザ装置が使用される。ユーザ装置は、
下りリンクのチャネル状態に基づいてランクインジケータを生成するRI生成部と、
前記ランクインジケータを含む上り信号を基地局に送信する送信部と
を有し、当該ユーザ装置のカテゴリ情報を前記基地局に通知する前に、ランクインジケータを前記基地局に報告する場合、前記RI生成部は、当該ユーザ装置及び前記基地局にとって既知のビット数のランクインジケータを生成する、ユーザ装置である。
【００２５】
ユーザ装置のカテゴリ情報が基地局にとって未知であった場合に、ランクインジケータを前記基地局に報告する場合、ユーザ装置及び基地局にとって既知のビット数のランクインジケータが報告される。これにより、ランクインジケータのビット数を基地局が誤って認識してしまうおそれを減らすことができる。
【００２６】
（２）前記既知のビット数は、前記移動通信システムにおける全てのユーザ装置が使用可能なランクインジケータを表現するのに必須のビット数でもよい。これは、全てのユーザ装置に対して、ビット数が余分に多いランクインジケータを生成しないようにする等の観点から好ましい。
【００２７】
（３）ユーザ装置は、前記カテゴリ情報を含む上り信号について肯定応答又は否定応答を示す送達確認信号を受信する受信部をさらに備えてもよい。そして、前記肯定応答が得られた場合、前記RI生成部は、前記カテゴリ情報及び前記基地局のアンテナ数に基づいて決定されたビット数のランクインジケータを生成してもよい。これは、基地局eNBにとってカテゴリ情報が未知でなくなった後、最適なビット数でランクインジケータを生成する等の観点から好ましい。最適なビット数は、ユーザ装置及び基地局双方で使用可能な最大ランク数を表現するのに必要なビット数でもよい。
【００２８】
（４）前記既知のビット数は、前記基地局のアンテナ数に応じて決定されたビット数でもよい。このビット数は、例えば、基地局の最大ランク数を表現するのに必要なビット数でもよい。
【００２９】
（５）前記カテゴリ情報を含む上り信号について肯定応答が得られた後においても、前記RI生成部は、前記基地局のアンテナ数に応じて決定されたビット数のランクインジケータを生成してもよい。これは、基地局の処理負担を軽減する観点から好ましい。
【００３０】
（６）ユーザ装置は、前記カテゴリ情報を含む上り信号について肯定応答又は否定応答を示す送達確認信号を受信する受信部をさらに備えてもよい。そして、前記肯定応答が得られた場合、前記RI生成部は、前記カテゴリ情報及び前記基地局のアンテナ数に基づいて決定されたビット数のランクインジケータを生成してもよい。
【００３１】
（７）前記カテゴリ情報は、当該ユーザ装置が使用可能なランクインジケータのビット数を一意に特定することが可能である。
【００３２】
（８）本発明の一形態によれば、移動通信システムにおける基地局が使用される。基地局装置は、
ランクインジケータを含む上り信号をユーザ装置から受信する受信部と、
前記ランクインジケータに基づいてスケジューリングした下り信号をユーザ装置に送信する送信部と
を有し、前記ユーザ装置のカテゴリ情報が当該基地局にとって未知である場合に受信するランクインジケータは、前記ユーザ装置及び当該基地局にとって既知のビット数により表現されている、基地局である。
【００３３】
（９）前記既知のビット数は、前記移動通信システムにおける全てのユーザ装置が使用可能なランクインジケータを表現するのに必須のビット数でもよい。
【００３４】
（１０）前記送信部は、前記カテゴリ情報を含む上り信号を復号した後に受信するランクインジケータは、前記カテゴリ情報及び当該基地局のアンテナ数に基づいて決定されたビット数により表現されていてもよい。
【００３５】
（１１）前記送信部は、前記カテゴリ情報を含む上り信号について肯定応答又は否定応答を示す送達確認信号を送信し、
前記肯定応答を送信した後に受信するランクインジケータは、前記カテゴリ情報及び当該基地局のアンテナ数に基づいて決定されたビット数により表現されていてもよい。
【００３６】
（１２）前記既知のビット数は、当該基地局のアンテナ数に応じて決定されたビット数でもよい。
【００３７】
（１３）前記カテゴリ情報を含む上り信号を正しく復号した後、あるいは、前記カテゴリ情報を含む上り信号について肯定応答を送信した後に受信するランクインジケータも、当該基地局のアンテナ数に応じて決定されたビット数により表現されていてもよい。
【００３８】
（１４）前記カテゴリ情報は、前記ユーザ装置が使用可能なランクインジケータのビット数を一意に特定することが可能である。
【００３９】
（１５）本発明の一形態によれば、移動通信システムにおける方法が使用される。本方法は、
ユーザ装置が、下りリンクのチャネル状態に基づいてランクインジケータを生成し、該ランクインジケータを含む上り信号を基地局に送信するステップと、
前記基地局が、受信した前記ランクインジケータに基づいてスケジューリングした下り信号を前記ユーザ装置に送信するステップと
を有し、前記ユーザ装置のカテゴリ情報が前記基地局に通知される前に、前記ユーザ装置が前記基地局に報告するランクインジケータは、前記ユーザ装置及び前記基地局にとって既知のビット数により表現されている、方法である。
【００４０】
（１６）本発明の一形態によれば、移動通信システムにおけるユーザ装置が使用される。本ユーザ装置は、
RRC接続要求メッセージを生成するRRCメッセージ生成部と、
ランクインジケータのビット数を決定するRIビット数決定部と、
下りリンクのチャネル状態に基づいて、前記ビット数決定部により決定されたビット数のランクインジケータを生成するRI生成部と、
前記RRC接続要求メッセージを送信した後に基地局から通知された報告頻度で、前記ランクインジケータを前記基地局に送信する送信部と
を有し、前記RRCメッセージ生成部が生成するRRC接続要求メッセージは、ランクインジケータのビット数を一意に特定することが可能なカテゴリ情報を含み、前記RIビット数決定部は、前記カテゴリ情報及び前記基地局のアンテナ構成に基づいてランクインジケータのビット数を決定する、ユーザ装置である。
【００４１】
RRC接続要求メッセージは、ランクインジケータのビット数を一意に特定することが可能なカテゴリ情報を含んでいるので、基地局は、RRC接続設定メッセージを送信する前に、ユーザ装置及び基地局双方に使用可能な最大ランク数、ひいては最適なRIビット数を知ることができる。これは、基地局がランクインジケータを受信する際、基地局が不適切なRIビット数を想定してしまうのを防ぐ等の観点から好ましい。
【００４２】
（１７）本発明の一形態によれば、移動通信システムにおける基地局が使用される。本基地局は、
RRC接続要求メッセージをユーザ装置から受信し、ランクインジケータのビット数を一意に特定することが可能なカテゴリ情報を前記RRC接続要求メッセージから抽出するRRC処理部と、
ランクインジケータの報告頻度を少なくとも示すRRCコネクション設定メッセージを生成するRRCメッセージ生成部と、
前記カテゴリ情報及び当該基地局のアンテナ構成に基づいてランクインジケータのビット数を決定するRIビット数決定部と、
前記RRCコネクション設定メッセージがユーザ装置に通知された後に、前記報告頻度で前記ユーザ装置から報告されたランクインジケータに基づいてスケジューリングした下りメッセージを、前記ユーザ装置に送信する送信部と
を有する基地局である。
【００４３】
（１８）本発明の一形態によれば、移動通信システムにおける方法が使用される。本方法は、
ユーザ装置がRRC接続要求メッセージを基地局に送信し、前記基地局が、ランクインジケータのビット数を一意に特定することが可能なカテゴリ情報を前記RRC接続要求メッセージから抽出するステップと、
前記基地局が、ランクインジケータの報告頻度を少なくとも示すRRCコネクション設定メッセージを前記ユーザ装置に通知するステップと、
前記ユーザ装置が、前記カテゴリ情報及び前記基地局のアンテナ構成に基づいてランクインジケータのビット数を決定し、該決定したビット数のランクインジケータを下りリンクのチャネル状態に基づいて生成するステップと、
前記基地局が、前記カテゴリ情報及び前記基地局のアンテナ構成に基づいてランクインジケータのビット数を決定し、該ビット数のランクインジケータを前記ユーザ装置から前記報告頻度で受信するステップと
を有する方法である。
【００４４】
以下の観点から本発明の実施例を説明する。
【００４５】
１．動作原理
２．変形例１
３．変形例２
４．変形例３
５．ユーザ装置
６．基地局
【実施例１】
【００４６】
＜１．動作原理＞
図２は、本発明の実施例を説明するためのシーケンス図を示す。上述したように、ユーザ装置UEがRRC接続要求メッセージ（RRC  Connection  Request）（メッセージ３）を基地局eNBに送信したことに応答して、基地局eNBは、RRC接続セットアップメッセージ（RRC  Connection  Setup）（メッセージ４）をユーザ装置UEに送信する（S4）。このRRC接続セットアップメッセージは、下りリンクのチャネル品質情報CQIやランクインジケータRIを報告する周期や、これらの制御チャネルを送信するためのPUCCHの個別リソース等の情報を含む。その後、ランクインジケータRIを報告する周期が訪れ、ステップS20において、ユーザ装置UEは、ランクインジケータを含む上り信号を基地局eNBに送信する。この上り信号は、原則としてPUCCHであるが、ユーザ装置UEが共有データチャネル（PUSCH）を送信する場合は、PUCCHではなくPUSCHにより送信される。なお、ステップS20において上り信号が送受信される時点では、基地局eNBにとってユーザ装置UEの能力は未知であるとする。
【００４７】
本実施例では、ステップS20において基地局eNBに報告されるランクインジケータRIは、ユーザ装置UE及び基地局eNB双方にとって既知のビット数で表現される。既知のビット数は、ユーザ装置UEが自身の能力を示す情報を基地局eNBに送信するまでの間（図１のステップS4からS7までの間）に使用されるように、予め定められたビット数である。具体的には、既知のビット数は、例えば１ビットである。基地局eNBにとってユーザ装置UEの能力が未知である場合、ユーザ装置UEは自身の能力によらず１ビットでランクインジケータRIを生成及び送信し、基地局eNBも自身の能力によらず、１ビットのランクインジケータを想定して上り信号を受信する。
【００４８】
図３は、ユーザ装置の動作例を示すフローチャートである。
【００４９】
ステップS31において、ユーザ装置UEは、RRC接続セットアップメッセージ（RRC  Connection  Setup）を受信し、RI及びCQIの報告頻度や、PUCCHのリソース等の情報を取得する。
【００５０】
ステップS32において、ユーザ装置UEは、上記の既知のビット数のランクインジケータRIを生成し、それを基地局eNBに送信する。説明の便宜上、既知のビット数は、１ビットであるとするが、これに限定されない。移動通信システム内で動作するすべてのユーザ装置が使用可能なランクを表現するのに必須のビット数という観点から、既知のビット数が決定されてもよい。本説明では、高々２アンテナしか備わっていないユーザ装置UEが、移動通信システム内に存在してもよいことを想定しているので、既知のビット数が１ビットに設定されている。
【００５１】
ランクインジケータは、下りリンクの無線状態の測定値（例えば、CQI）に相応しい値として生成される。具体的には、先ず基地局eNBは、複数のアンテナ各々からリファレンス信号（RS）又はパイロット信号を送信している。ユーザ装置UEは、基地局eNBから受信したリファレンス信号（RS）の受信品質や空間相関を測定することで無線状態を知ることができ、その無線状態に相応しいランクインジケータRIを生成する。
【００５２】
例えば、ユーザ装置UEがセル端に位置し、RI = 1を想定した場合の受信品質がRI = 2の受信品質よりも良くなり、データレート向上よりも受信品質向上を優先するためのランクインジケータ（例えば、RI＝1）が生成される。逆に、ユーザ装置UEが基地局eNB近傍に位置し、RI = 2を想定した場合の受信品質がRI =１の受信品質よりも良くなり、データレート向上が見込める場合には、スループットが高くなるランクインジケータ（例えば、RI＝2）が生成される。
【００５３】
ステップS33において、ユーザ装置UEは、UE能力情報（UE  Capability  Information）を基地局eNBに送信する。このステップは、図１のステップS7に相当する。UE能力情報は、例えば、上り物理共有チャネル（PUSCH）により伝送されてもよい。UE能力情報は、カテゴリ情報とも言及される。概して、ユーザ装置UEは、能力に応じて幾つかのカテゴリに分類される。
【００５４】
図４は、カテゴリ情報の一例を示す。図示の例の場合、ユーザ装置UEは５つのカテゴリ（カテゴリ１〜５）に分類されている。分類数は５つに限定されず、いくつでもよい。概して、カテゴリ番号が多いほど、処理能力が高いことを示す。「１TTIの間に受信するDL-SCHトランスポートブロックの最大ビット数」は、概して、下りの共有データチャネルを受信する能力を示す。一例として、１つのサブフレーム（TTI）の中に２つのトランスポートブロックが含まれる。「ソフトチャネルビット総数」は、既に送信した情報を速やかには破棄せずに、再送による合成に備えて保存しておくビット数を示す。「下りリンクの空間多重に対してサポートしている最大レイヤ数」は、上記のランクインジケータRIに関連する情報である。この欄の値が４の場合、RIは１、２、３又は４の値をとり、この欄の値が２の場合、RIは１又は２の値をとり、この欄の値が１の場合、RIは１である。したがって、カテゴリ１〜４のユーザ装置UEに対するランクインジケータRIは、１ビットで表現できる。カテゴリ５のユーザ装置UEに対するランクインジケータRIは、２ビットで表現できる。したがって、ユーザ装置個々のカテゴリ情報を知ることで、個々のユーザ装置が使用可能なランクインジケータのビット数を一意に特定することができる。このようなカテゴリ情報は、ユーザ装置UE及び基地局eNBにとって既知である。
【００５５】
図３のステップS33では、ユーザ装置UEは、このようなカテゴリ情報をPUSCHにより基地局eNBに通知する。基地局eNBは、受信したカテゴリ情報に基づいてユーザ装置UEのカテゴリを判別し、ユーザ装置UE及び基地局双方に最適なRIビット数を知ることができる。
【００５６】
ステップS34では、ステップS33で送信したPUSCHに対する送達確認信号PHICHを受信し、PUSCHが基地局eNBで適切に受信されたか否かを判断する。送達確認信号PHICHは、肯定応答ACK又は否定応答NACKにより表現される。送達確認信号PHICHが肯定応答ACKを示していた場合、フローはステップS35に進む。
【００５７】
ステップS35において、ユーザ装置UEは、自身のカテゴリ情報と基地局eNBのアンテナ数とに基づいて、ランクインジケータRIを表現するビット数を決定する。例えば、ユーザ装置UEがカテゴリ５に属し、基地局eNBのアンテナ数が４であったとする。この場合、ユーザ装置UEも基地局eNBも最大でランクが４の通信を行うことができる。ステップS32において設定されているビット数は１である。そこで、ステップS35において、ユーザ装置UEは、ランクインジケータRIのビット数を１から２に変更する。後述するように、基地局eNBも同様にランクインジケータRIのビット数を１から２に変更する。以後、ユーザ装置UEは２ビットのランクインジケータRIを生成及び送信し、基地局eNBは２ビットのランクインジケータRIを受信し、そのRIに基づいてスケジューリング等の処理を行う。なお、ユーザ装置UEがカテゴリ５でなかった場合、そのユーザ装置は高々ランクが２の通信を行うことしかできない。この場合、ランクインジケータRIは１ビットで十分であるので、ランクインジケータを表現するビット数を変更する必要はない。
【００５８】
一方、ステップS34において、ステップS33で送信したPUSCHに対する送達確認信号PHICHが否定応答NACKを示していた場合、フローはステップS33に戻り、以前に送信したPUSCHを再送する。ユーザ装置UEは、基地局eNBから肯定応答ACKを受信した場合にのみ、ランクインジケータRIのビット数を再設定する。
【００５９】
図５は、基地局eNBの動作例を示すフローチャートである。
【００６０】
ステップS51において、基地局eNBは、RRC接続セットアップメッセージ（RRC  Connection  Setup）をユーザ装置UEに通知する。このステップは、図１のステップS4に相当する。上述したように、RRC接続セットアップメッセージは、RI及びCQIの報告頻度や、PUCCHのリソース等の情報を含んでいる。
【００６１】
ステップS52において、基地局eNBは、ユーザ装置UEからランクインジケータRIを含む上り信号を受信する。上り信号は、原則としてPUCCHで送信されるが、ユーザ装置UEが共有データチャネルを送信する場合はPUSCHにより共有データチャネルと多重して送信される。さらに、本実施例の場合、ユーザ装置UE及び基地局eNBにとって既知のビット数のランクインジケータRIが、受信される。説明の便宜上、既知のビット数は、１ビットであるが、これに限定されない。移動通信システム内で動作するすべてのユーザ装置が使用可能なランクを表現するのに必須のビット数という観点から、既知のビット数が決定されてもよい。本説明では、高々２アンテナしか備わっていないユーザ装置UEが、移動通信システム内に存在してもよいことを想定しているので、既知のビット数が１ビットに設定されている。
【００６２】
ステップS53において、基地局eNBは、UE能力情報又はカテゴリ情報をユーザ装置UEから受信する。カテゴリ情報は、PUSCHに含まれている。
【００６３】
ステップS54において、基地局eNBは、カテゴリ情報を含むPUSCHについて誤り判定を行う。誤っていなかった場合（CRC＝OK）、基地局eNBは肯定応答ACKを示す送達確認信号PHICHをユーザ装置UEに送信し、フローはステップS55に進む。
【００６４】
ステップS55では、図３のステップS35と同様に、基地局eNBは、カテゴリ情報と基地局eNBのアンテナ数とに基づいて、以後の通信でやりとりするランクインジケータRIのビット数を決定する。具体的には、ユーザ装置及び基地局双方で使用可能な最大ランク数を表現するのに必要なビット数が選択される。なお、ステップS55は、基地局eNBが肯定応答ACKを示す送達確認信号を行う前に、CRC＝OKと判定した直後に切り替えてもよい。
【００６５】
一方、ステップS54において、誤っていた場合（CRC＝NG）、フローはステップS56に進む。
【００６６】
ステップS56では、基地局eNBは否定応答NACKを示す送達確認信号PHICHをユーザ装置UEに送信し、PUSCHの再送を要求し、フローはステップS53に戻る。
【００６７】
本動作例によれば、基地局eNBがユーザ装置UEのカテゴリ情報を未だ受信していなかった場合、ユーザ装置UEから報告されるランクインジケータRIのビット数は、ある既知の値（例えば、１ビット）に強制される。このため、基地局eNBが、ランクインジケータRIのビット数を誤って認識するおそれは、軽減される。さらに、本動作例によれば、基地局eNBがカテゴリ情報を受信した後、ユーザ装置UE及び基地局eNB双方が使用できるランクに応じて、過不足のないビット数が設定される。したがって、本実施例は、「基地局eNBのアンテナ構成とユーザ装置UEのカテゴリ情報によって、RIのビット数が決定される」という規則を順守しつつ、カテゴリ情報が未知の場合にも対処できる観点から好ましい。
＜２．変形例１＞
ところで、上記の動作例では、移動通信システム内で動作するすべてのユーザ装置が使用可能なランクを表現するのに必須のビット数という観点から、ユーザ装置UE及び基地局eNBにとって既知のビット数が決定されていた。しかしながら、本発明はこれに限定されず、他の観点から既知のビット数が決定されてもよい。
【００６８】
ユーザ装置UEは、RACHプリアンブルの送信前に報知情報（BCH）を受信している。報知情報は、基地局eNBのアンテナ数の情報も含んでいる。そこで、本発明の第１変形例では、基地局eNBのアンテナ数に応じて決定されるビット数が、上記の既知のビット数として設定される。具体的には、基地局eNBの最大ランク数を表現するのに必要なビット数が、既知のビット数として設定される。例えば、基地局eNBのアンテナ数が４であった場合、最大ランク数は４であるので、既知のビット数は、２に設定される。その後、基地局eNBがカテゴリ情報を受信すると、そのカテゴリ情報及び基地局eNBのアンテナ数に基づいて、ランクインジケータRIのビット数が再設定される。すなわち、RIビット数は、ユーザ装置及び基地局双方で使用可能な最大ランク数を表現するのに必要なビット数に再設定される。
【００６９】
本変形例において、基地局eNBがカテゴリ情報を未だ受信していなかった場合、ユーザ装置UEが高々２本のアンテナしか備えていなかった場合でも、ユーザ装置UEは２ビットのランクインジケータRIを生成及び送信することになる。したがって、ユーザ装置UEの能力が低い場合、必須のビット数より多いビット数のランクインジケータRIが生成される。例えば、カテゴリ３のユーザ装置UEのランクは、本来１ビットで表現できるが、本変形例の場合、２ビットで表現される。本変形例は、高い能力を有するユーザ装置UEがセル内に多数在圏している場合に特に有利である。それら多数のユーザ装置UEについて正確なランクインジケータRIが生成され、セル全体のスループットを向上させることができるからである。
＜３．変形例２＞
第１変形例では、基地局eNBのアンテナ数に応じて導出されるビット数（具体的には、基地局eNBの最大ランク数を表現するのに必要なビット数）が、上記の既知のビット数として設定された。その後、基地局eNBがカテゴリ情報を受信すると、そのカテゴリ情報及び基地局eNBのアンテナ数に基づいて、ランクインジケータRIのビット数が再設定されていた。
【００７０】
第２実施例では、そのような再設定は行われず、終始、ランクインジケータRIのビット数は、基地局eNBのアンテナ数に応じて決定された値のままである。
【００７１】
図６は、本変形例を説明するためのシーケンス図を示す。ユーザ装置UEは、既に報知情報（BCH）を受信しており、基地局eNBのアンテナ数等の情報を取得している。上述したように、ユーザ装置UEがRRC接続要求メッセージ（RRC  Connection  Request）（メッセージ３）を基地局eNBに送信したことに応答して、基地局eNBは、RRC接続セットアップメッセージ（RRC  Connection  Setup）（メッセージ４）をユーザ装置UEに送信する（S4）。このRRC接続セットアップメッセージは、下りリンクのチャネル品質情報CQIやランクインジケータRIを報告する周期、PUCCHのリソース等の情報を含む。
【００７２】
その後、ランクインジケータRIを報告する周期が訪れ、ステップS61において、ユーザ装置UEは、ランクインジケータを含む上り信号を基地局eNBに送信する。この上り信号は、原則としてPUCCHで送信されるが、ユーザ装置UEが共有データチャネル（PUSCH）を送信する場合、PUCCHではなくPUSCHにより共有データチャネルと多重して送信される。ステップS61において上り信号が送受信される時点では、基地局eNBにとってユーザ装置UEの能力は未知である。ステップS61において基地局eNBに報告されるランクインジケータRIは、ユーザ装置UE及び基地局eNB双方にとって既知のビット数で表現されている。本変形例の場合、既知のビット数は、基地局eNBのアンテナ数から導出された値であり、具体的には、基地局eNBの最大ランク数を表現するのに必要なビット数である。一例として、そのビット数は２である（基地局eNBのアンテナ数は４であることを想定している。）。
【００７３】
ステップS7において、ユーザ装置UEのカテゴリ情報がPUSCHにより基地局eNBに通知される。このPUSCHは適切に受信されたものとする、すなわち、基地局eNBからユーザ装置UEへ肯定応答ACKが送信されたことを仮定している。その後、RIを報告する周期が訪れる。
【００７４】
ステップS62において、ユーザ装置UEは、ステップS61における処理と同様に、２ビットのランクインジケータRIを生成及び送信する。第１変形例とは異なり、ランクインジケータRIのビット数は再設定されないので、２ビットのランクインジケータRIが生成及び送信される。
【００７５】
本変形例によれば、ユーザ装置UE及び基地局eNBにおいて、ランクインジケータRIのビット数を変更しなくてよいので、本変形例は処理負担を軽減できる等の点で好ましい。
＜４．変形例３＞
上述したように、図１のステップS7によりユーザ装置UEがカテゴリ情報を基地局eNBに通知する前の状態においては、基地局eNBは、ランクインジケータRIのビット数を誤って認識するおそれがある。ランクインジケータRIの報告は、ステップS4以降から開始される。したがって、ステップS4からS7の間に、RIビット数の誤認識の問題が生じる。
【００７６】
第３変形例では、既存のRRC接続要求メッセージ（RRC  Connection  Request）を変更し、RRC接続要求メッセージが、ユーザ装置UEのカテゴリ情報を含むようにする。
【００７７】
図７は、本変形例を説明するためのシーケンス図を示す。
【００７８】
ステップS71では、ユーザ装置UEが、RRC接続要求メッセージを基地局eNBに送信する。従来とは異なり、このRRC接続要求メッセージは、ユーザ装置UEのカテゴリ情報を含む。したがって、RRC接続要求メッセージを受信した基地局eNBは、カテゴリ情報及び基地局eNBのアンテナ数に基づいて最適なRIビット数を決定することができる。具体的には、RIビット数は、ユーザ装置及び基地局双方で使用可能な最大ランク数を表現するのに必要なビット数に決定される。ユーザ装置UEは、基地局eNBのアンテナ数の情報を報知情報から既に取得しているので、ユーザ装置UEも、カテゴリ情報及び基地局eNBのアンテナ数に基づいて同一の最適なRIビット数を決定することができる。
【００７９】
ステップS4において、基地局eNBは、RRC接続セットアップメッセージ（RRC  Connection  Setup）（メッセージ４）をユーザ装置UEに送信する。このRRC接続セットアップメッセージは、下りリンクのチャネル品質情報CQIやランクインジケータRIを報告する周期やこれらの制御チャネルを送信するためのPUCCHの個別リソース等の情報を含む。
【００８０】
その後、ランクインジケータRIを報告する周期が訪れると、ステップS72において、ユーザ装置UEは、上記の最適なRIビット数のランクインジケータを含む上り信号を基地局eNBに送信する。
【００８１】
本変形例の場合、図１のステップS6及びS7に相当する処理は不要である。本変形例による図７のステップS71において、カテゴリ情報が既に基地局eNBに通知されているからである。
【００８２】
本変形例によれば、ステップS71以降、基地局eNBはユーザ装置UEのカテゴリ情報を知っているので、ランクインジケータRIのビット数を正しく認識できる。第３変形例では、上記の動作原理や第１変形例におけるRIビット数の再設定を行う処理は不要である。第３変形例は、能力が低いユーザ装置UEが余分に多いビット数でランクインジケータRIを生成しなくてよい点で好ましい。この点、第３変形例は第２変形例よりも有利である。
＜５．ユーザ装置＞
図８は、ユーザ装置UEの概略ブロック図を示す。図示されているように、ユーザ装置UEに備わる様々な処理部の内、制御情報受信部81、CQI測定部82、RRC処理部83、RRCメッセージ生成部84、RIビット数決定部85、RI生成部86、RACH生成部87及び送信信号生成部88が示されている。
【００８３】
制御情報受信部81は、下りリンクで受信した受信信号から各種の情報を抽出する。図示の例では、抽出される各種の情報の内、報知情報BCH、リファレンス信号RS、RACH応答メッセージ（RACH  response）、RRCメッセージ及び送達確認信号PHICH（ACK/NACK）が示されている。
【００８４】
CQI測定部82は、受信したリファレンス信号RSに基づいて、下りリンクの受信品質又は受信レベルを測定し、下りリンクの無線状態の良否を示す情報（例えば、CQI）を生成する。受信レベルは、例えば受信電力、電界強度RSSI、希望波受信電力RSCP、パスロス、S/N、SIR、Ec/N0等で表現されてもよい。
【００８５】
RRC処理部83は、受信したRRCメッセージに応じて処理を行う。例えば、RACH応答メッセージ（RACH  response）を受信した場合、RRC接続要求メッセージ（RRC  Connection  Request）の生成を促す。
【００８６】
RRCメッセージ生成部84は、基地局eNBに通知するRRCメッセージを生成する。上記の第３変形例の場合、RRCメッセージ生成部84は、カテゴリ情報を含むRRC接続要求メッセージを生成する。
【００８７】
RIビット数決定部85は、ランクインジケータRIのビット数を決定する。上記の動作原理及び第１変形例の場合、先ず、RIビット数は、ユーザ装置UE及び基地局eNBにとって既知のビット数（例えば、１ビット）に決定される。その後、カテゴリ情報を含むPUSCHに対する送達確認信号ACK/NACKが、肯定応答ACKであった場合、RIビット数決定部85は、RIビット数を、カテゴリ情報及び基地局eNBのアンテナ数に基づいて最適な値に決定し直す。最適な値とは、ユーザ装置UE及び基地局eNB双方で使用可能な最大ランク数を表現するのに必要なビット数である。第２変形例の場合、基地局eNBのアンテナ数に応じて特定されるビット数（すなわち、基地局eNBの最大ランク数を表現するのに必要なビット数）が、RIビット数として決定される。第３変形例の場合、ユーザ装置UEのカテゴリ情報及び基地局eNBのアンテナ数に基づく最適なRIビット数が、当初から使用される。最適なRIビット数は、ユーザ装置UE及び基地局eNB双方で使用可能な最大ランク数を表現するのに必要なビット数である。
【００８８】
RI生成部86は、測定した受信品質やCQI等に基づいて、ランクインジケータRIを決定する。ランクインジケータRIのビット数は、RIビット数決定部85において決定された値である。
【００８９】
RACH生成部87は、報知情報BCHを利用して、RACHプリアンブルを生成する。
【００９０】
送信信号生成部88は、送信する情報に対してチャネル符号化、データ変調及びインターリーブ等を施し、各種のチャネルを多重して送信信号を生成する。生成された送信信号は不図示の送信部を経て送信される。
＜６．基地局＞
図９は、基地局の概略ブロック図を示す。図示の例の場合、基地局eNBに備わる様々な処理部の内、制御情報受信部91、RRC処理部92、RRCメッセージ生成部93、RIビット数決定部94、ユーザデータ生成部95、スケジューラ96及び送信信号生成部97が示されている。
【００９１】
制御情報受信部91は、上りリンクで受信した受信信号から各種の信号を抽出する。図示の例では、抽出される各種の情報の内、CQI、RACHプリアンブル、RRCメッセージ、ランクインジケータRI及びUEカテゴリが示されている。
【００９２】
RRC処理部92は、受信したRRCメッセージに応じて処理を行う。例えば、RRC接続要求メッセージ（RRC  Connection  Request）を受信した場合、RRC接続セットアップメッセージ（RRC  Connection  Setup）の生成を促す。
【００９３】
RRCメッセージ生成部93は、ユーザ装置UEに通知するRRCメッセージを作成する。
【００９４】
RIビット数決定部94は、ランクインジケータRIのビット数を決定する。上記の動作原理及び第１変形例の場合、先ず、RIビット数は、ユーザ装置UE及び基地局eNBにとって既知のビット数（例えば、１ビット）に決定される。その後、ユーザ装置UEからカテゴリ情報が通知された場合、RIビット数決定部94は、RIビット数を、カテゴリ情報及び基地局eNBのアンテナ数に基づいて最適な値に決定し直す。最適な値は、ユーザ装置UE及び基地局eNB双方に使用可能な最大ランク数を表現するのに必要なビット数である。第２変形例の場合、基地局eNBのアンテナ数に応じて特定されるビット数（すなわち、基地局eNBの最大ランク数を表現するのに必要なビット数）が、RIビット数として決定される。第３変形例の場合、ユーザ装置UEのカテゴリ情報及び基地局eNBのアンテナ数に基づく最適なRIビット数が、当初から使用される。最適なRIビット数は、ユーザ装置UE及び基地局eNB双方で使用可能な最大ランク数を表現するのに必要なビット数である。
【００９５】
ユーザデータ生成部95は、ユーザデータ又はユーザトラフィックデータを生成する。
【００９６】
スケジューラ96は、CQI及びRIに基づいて、ユーザ装置UEに対する無線リソースの割り当て方を決定する。
【００９７】
送信信号生成部97は、スケジューラ96からの指示にしたがって、送信する情報に対してチャネル符号化、データ変調及びインターリーブ等を施し、各種のチャネルを多重して送信信号を生成する。生成された送信信号は不図示の送信部を経て送信される。
【００９８】
以上本発明は特定の実施例を参照しながら説明されてきたが、それらは単なる例示に過ぎず、当業者は様々な変形例、修正例、代替例、置換例等を理解するであろう。本発明は、ランクアダプテーションを行う適切な如何なる移動通信システムに適用されてもよい。例えば本発明は、HSDPA/HSUPA方式のW-CDMAシステム、LTE方式のシステム、IMT-Advancedシステム、WiMAX、Wi-Fi方式のシステム等に適用されてもよい。発明の理解を促すため具体的な数値例を用いて説明がなされたが、特に断りのない限り、それらの数値は単なる一例に過ぎず適切な如何なる値が使用されてもよい。説明中の項目の区分けは本発明に本質的ではなく、２以上の項目に記載された事項が必要に応じて組み合わせて使用されてもよいし、ある項目に記載された事項が、別の項目に記載された事項に（矛盾しない限り）適用されてよい。説明の便宜上、本発明の実施例に係る装置は機能的なブロック図を用いて説明されたが、そのような装置はハードウェアで、ソフトウェアで又はそれらの組み合わせにより実現されてもよい。ソフトウェアは、ランダムアクセスメモリ（RAM）、フラッシュメモリ、読み取り専用メモリ（ROM）、EPROM、EEPROM、レジスタ、ハードディスク（HDD）、リムーバブルディスク、CD-ROM、データベース、サーバその他の適切な如何なる記憶媒体に用意されてもよい。本発明は上記実施例に限定されず、本発明の精神から逸脱することなく、様々な変形例、修正例、代替例、置換例等が本発明に包含される。
【符号の説明】
【００９９】
81  制御情報受信部
82  CQI測定部
83  RRC処理部
84  RRCメッセージ生成部
85  RIビット数決定部
86  RI生成部
87  RACH生成部
88  送信信号生成部
91  制御情報受信部
92  RRC処理部
93  RRCメッセージ生成部
94  RIビット数決定部
95  ユーザデータ生成部
96  スケジューラ
97  送信信号生成部
【図１】
2011142570.tif 000003
【図２】
2011142570.tif 000004
【図３】
2011142570.tif 000005
【図４】
2011142570.tif 000006
【図５】
2011142570.tif 000007
【図６】
2011142570.tif 000008
【図７】
2011142570.tif 000009
【図８】
2011142570.tif 000010
【図９】
2011142570.tif 000011